(57)【要約】【課題】枠体または框体の見込方向寸法を増加させることなくパネル体保持溝の強度を大きくし、火災発生時にパネル体の保持状態を維持することのできる開口部装置を提供する。【解決手段】一側が開口された縦材３５と横材２０とを枠組みした枠体または框体４に、開口を介してパネル体５を納め、縦材３５と横材２０は、見付方向に伸びる底壁３６ｃ，２２ｃと、底壁の室内側及び室外側から面内方向に立ち上がる室内側壁３６ａ，２２ａ及び室外側壁３６ｂ，２２ｂとを備えたパネル体保持溝３６，２２を有し、縦材と横材の少なくとも一方は、室内側壁または室外側壁３６ｂの底壁３６ｃ側に、室内側壁または室外側壁の他の部分よりも肉厚が大きい厚肉部３６ｅを有する。【選択図】図７
2014098248.tif 000002
【特許請求の範囲】
【請求項１】
一側が開口された縦材と横材とを枠組みした枠体または框体に、前記開口を介してパネル体を納めた開口部装置において、
前記縦材と横材は、見付方向に伸びる底壁と、該底壁の室内側及び室外側から面内方向に立ち上がる室内側壁及び室外側壁とを備えたパネル体保持溝を有し、
前記縦材と横材の少なくとも一方は、前記室内側壁または室外側壁の前記底壁側に、前記室内側壁または室外側壁の他の部分よりも肉厚が大きい厚肉部を有することを特徴とする開口部装置。
【請求項２】
前記厚肉部の面内側には、シール材またはシール材支持材を保持する支持面が形成されることを特徴とする請求項１記載の開口部装置。
【請求項３】
前記厚肉部を有する前記縦材または横材に飲み込まれる前記縦材または横材は、前記室内側壁または室外側壁の端部のうち、前記厚肉部に対応する部分が切り欠かれた切欠部を有することを特徴とする請求項２記載の開口部装置。
【請求項４】
前記底壁と、該底壁から面外方向に伸びる第２室内側壁及び第２室外側壁と、前記第２室内側壁と第２室外側壁とを繋ぐ外周壁とで召合わせ框を形成し、
前記召合わせ框の内部には、前記底壁から見付方向に伸びる内部壁を有することを特徴とする請求項１〜３のいずれか１項に記載の開口部装置。
【請求項５】
前記縦材には端面を覆う端部キャップが設けられ、該端部キャップは前記横材側に延長された延出部を有し、該延出部は前記横材のパネル体保持溝を構成する室外側壁と前記縦材のパネル体保持溝を構成する室外側壁との重合部分を覆うことを特徴とする請求項４記載の開口部装置。
【発明の詳細な説明】
【技術分野】
【０００１】
本発明は、建物開口部に設けられる枠体内に障子またはパネル体を納めた開口部装置に関し、特にパネル体を支持する部分の火災発生時における強度を向上させた開口部装置に関する。
【背景技術】
【０００２】
建物開口部に設けられる枠体内に障子またはパネル体を納めた開口部装置としては、枠体内に内外障子が引き違い状に納められた引き違い窓サッシや、枠体内に障子が開閉自在に納められた開き窓サッシ、あるいは枠体内にパネル体が開閉不能に納められた嵌め殺し窓サッシなどがある。開口部装置には、火災が発生した場合にも、一定時間以上、閉塞状態を維持する防火性能が求められる。防火性能を十分に確保するためには、開口部装置が高温に晒されたとしても、室内外に貫通する隙間を生じさせないようにすることが重要である。
【０００３】
開口部装置を構成する枠材または框材は、縦材と横材とを連結してなり、これらの縦材や横材は、アルミ製の矩形状の管材である。この縦材や横材の一面を開口させて、断面略コ字状のパネル体保持溝を形成している。パネル体保持溝は、開口に対向する底壁と、底壁の室内側及び室外側から立ち上がる室内側壁及び室外側壁からなる。パネル体の周縁部は開口から納められ、開口部装置を構成する。火災時に加熱されることによって、パネル体を納めている枠材または框材が軟化し、ここにパネル体の荷重が加わることで縦材または横材が破断して、パネル体が面外方向に倒れる可能性が考えられる。これを防止するため、特許文献１に挙げるサッシでは、ステンレスの板をコ字形に曲げて形成したガラス間口補強材をパネル体保持溝内に設けている。
【先行技術文献】
【特許文献】
【０００４】
【特許文献１】特開２０１２−１２２３０３号公報
【発明の概要】
【発明が解決しようとする課題】
【０００５】
しかしながら、パネル体保持溝内にステンレス製等の金具を配置すると、障子全体が重くなってしまうため、障子開閉の際の操作性に悪影響を与えてしまう。
【０００６】
本発明は前記課題を鑑みてなされたものであり、枠体または框体の重量を増加させることなく、火災発生時にパネル体の保持状態を維持することのできる開口部装置を提供することを目的とする。
【課題を解決するための手段】
【０００７】
前記課題を解決するため、請求項１の発明に係る開口部装置は、一側が開口された縦材と横材とを枠組みした枠体または框体に、前記開口を介してパネル体を納めた開口部装置において、
前記縦材と横材は、見付方向に伸びる底壁と、該底壁の室内側及び室外側から面内方向に立ち上がる室内側壁及び室外側壁とを備えたパネル体保持溝を有し、
前記縦材と横材の少なくとも一方は、前記室内側壁または室外側壁の前記底壁側に、前記室内側壁または室外側壁の他の部分よりも肉厚が大きい厚肉部を有することを特徴として構成されている。
【０００８】
請求項１に係る発明によれば、厚肉部によって側壁の底壁側の肉厚が大きくなるので、火災発生時にパネル体保持溝によるパネル体の保持状態を維持することができる。
【０００９】
また、請求項２の発明に係る開口部装置は、前記厚肉部の面内側には、シール材またはシール材支持材を保持する支持面が形成されることを特徴として構成されている。
【００１０】
請求項２に係る発明によれば、厚肉部の端部によってシール材またはシール材支持材を保持できるので、保持のための形状をそれ以外に形成する必要が内容にすることができる。
【００１１】
さらに、請求項３の発明に係る開口部装置は、前記厚肉部を有する前記縦材または横材に飲み込まれる前記縦材または横材は、前記室内側壁または室外側壁の端部のうち、前記厚肉部に対応する部分が切り欠かれた切欠部を有することを特徴として構成されている。
【００１２】
請求項３に係る発明によれば、縦材または横材の端部と厚肉部とが干渉しないようにすることができる。
【００１３】
さらにまた、請求項４の発明に係る開口部装置は、前記底壁と、該底壁から面外方向に伸びる第２室内側壁及び第２室外側壁と、前記第２室内側壁と第２室外側壁とを繋ぐ外周壁とで召合わせ框を形成し、
前記召合わせ框の内部には、前記底壁から見付方向に伸びる内部壁を有することを特徴として構成されている。
【００１４】
請求項４に係る発明によれば、パネル体保持溝の底壁が外部に直接露出しないようにすることができ、パネル体保持溝の変形をより確実に抑えることができる。
【００１５】
そして、請求項５の発明に係る開口部装置は、前記縦材には端面を覆う端部キャップが設けられ、該端部キャップは前記横材側に延長された延出部を有し、該延出部は前記横材のパネル体保持溝を構成する室外側壁と前記縦材のパネル体保持溝を構成する室外側壁との重合部分を覆うことを特徴として構成されている。
【００１６】
請求項５に係る発明によれば、縦材と横材の連結部分における継ぎ目を被覆して、水漏れや意匠性の悪化を抑えることができる。
【発明の効果】
【００１７】
本発明に係る開口部装置によれば、枠体または框体の重量を増加させることなく、火災発生時におけるパネル体保持溝の強度を大きくすることができる。
【図面の簡単な説明】
【００１８】
【図１】本実施形態における開口部装置の縦断面図である。
【図２】開口部装置の横断面図である。
【図３】図２のうち外召合わせ框付近の拡大図である。
【図４】横材である上框の外召合わせ框に突き当てられる端部付近斜視図である。
【図５】横材である下框の外召合わせ框に突き当てられる端部付近斜視図である。
【図６】縦材である外召合わせ框の斜視図である。
【図７】外召合わせ框に対して上框及び下框を突き当てた状態の斜視図である。
【図８】端部キャップを取付けた外召合わせ框と上框及び下框の連結部分付近斜視図である。
【図９】端部キャップの斜視図である。
【図１０】第２の実施形態における開口部装置の縦断面図である。
【図１１】第２の実施形態における開口部装置の横断面図である。
【発明を実施するための形態】
【００１９】
本発明の実施形態について図面に沿って詳細に説明する。図１には本実施形態における開口部装置としての引き違いサッシの縦断面図を、図２には開口部装置としての引き違いサッシの横断面図を、それぞれ示している。これら各図に示すように、本実施形態の開口部装置は、上枠１０と下枠１１及び左右の縦枠１２，１２を方形状に枠組みしてなる枠体１内に内障子２と外障子３を引き違い状に納めた引き違いサッシである。
【００２０】
内障子２は、横材である上框２０と下框２３、縦材である枠側縦框２６及び内召合わせ框３０を方形状に框組みしてなる框体４内にガラス板からなるパネル体５を納めてなり、外障子３は、横材である上框２０と下框２３、縦材である枠側縦框２６及び外召合わせ框３５を方形状に框組みしてなる框体４内にガラス板からなるパネル体５を納めてなる。
【００２１】
枠体１を構成する上枠１０の内周面には、内障子２と外障子３をそれぞれ案内する室内外２条の上レール部１０ａが長手方向に沿って形成されている。また、下枠１１の内周面には、内障子２と外障子３をそれぞれ案内する室内外２条のレール部１１ａが長手方向に沿って形成されている。
【００２２】
框体４を構成する上框２０の上側には、上枠１０の上レール部１０ａに案内される凹状の案内溝２１が形成されている。下框２３の下側には、下枠１１のレール部１１ａに載置されて障子を走行自在とする戸車２４が設けられている。
【００２３】
内障子２と外障子３を構成する上框２０は、断面矩形状の筒材（ホロー材）であり、その一面を開口とした断面凹状（コ字状）のガラス保持溝２２を有している。ガラス保持溝２２は、開口に対向し、見込方向（室内外方向）に延びる面を有する板状の底壁２２ｃと、該底壁２５ｃの室内外側の二辺から立ち上がる室内側側壁２２ａ及び室外側側壁２２ｂとによって、断面凹状に形成されている。そして、パネル体５の上辺周縁部は、上框２０の開口からパネル保持溝２２に納められる。
【００２４】
内障子２と外障子３を構成する下框２３は、断面矩形状の筒材（ホロー材）であり、その一面を開口とした断面凹状（コ字状）のガラス保持溝２５を有している。ガラス保持溝２５は、開口に対向し、見込方向（室内外方向）に延びる面を有する板状の底壁２５ｃと、該底壁２５ｃの室内外側の二辺から立ち上がる室内側側壁２５ａ及び室外側側壁２５ｂとによって、断面凹状に形成されている。そして、パネル体５の下辺周縁部は、下框２３の開口からパネル保持溝２５に納められ、パネル体保持溝２５内に配置されるセッティングブロック２５ｄに載置される。
【００２５】
上框２０のパネル体保持溝２２と下框２３のパネル体保持溝２５内には、パネル体５の表面との間にシール材５０及び受け部材５１が設けられる。受け部材５１は、パネル体５の周縁部長手方向に沿って設けられ、シール材５０がパネル体保持溝２２，２５内に侵入しないように受けることができる。シール材５０により、パネル体保持溝２２，２５とパネル体５の表面との間が塞がれ、パネル体保持溝２２，２５内が封止される。
【００２６】
内障子２と外障子３を構成する枠側縦框２６は、断面矩形状の筒材（ホロー材）であり、その一面を開口とした断面凹状（コ字状）のガラス保持溝２７を有している。ガラス保持溝２７は、開口に対向し、見込方向（室内外方向）に延びる面を有する板状の底壁２７ｃと、該底壁２７ｃの室内外側の二辺から立ち上がる室内側側壁２７ａ及び室外側側壁２７ｂとによって、断面凹状に形成されている。そして、パネル体５の縦辺周縁部は、枠側縦框２６の開口からパネル保持溝２７に納められる。
【００２７】
枠側縦框２６には、室内側壁２７ａと室外側壁２７ｂからパネル体保持溝２７の内側に向かって突出する突片２７ｄが形成されている。突片２７ｄは、受け部材５１がパネル体保持溝２７の奥側に入り込まないように、受け部材５１の移動を規制する。また、室内側壁２７ａと室外側壁２７ｂの先端部には、パネル体５の表面に向かって突出する断面略Ｌ字状の対向突部２７ｅが形成されている。対向突部２７ｅとパネル体５の表面との間を塞ぐように、シール材５０が設けられる。
【００２８】
内障子２を構成する内召合わせ框３０は、断面矩形状の筒材（ホロー材）であり、その一面を開口とした断面凹状（コ字状）のガラス保持溝３１を有している。ガラス保持溝３１は、開口に対向し、見込方向（室内外方向）に延びる面を有する板状の底壁３１ｃと、該底壁３１ｃの室内外側の二辺から立ち上がる室内側側壁３１ａ及び室外側側壁３１ｂとによって、断面凹状に形成されている。そして、パネル体５の縦辺周縁部は、内召合わせ框３０の開口からパネル保持溝３１に納められる。
【００２９】
内召合わせ框３０には、パネル体保持溝３１より外周側に第１中空部３２と第２中空部３３が形成されている。第１中空部３２は第２中空部３３の室外側に配置されていて、内障子２を案内する上枠１０の上レール部１０ａ及び下枠１１のレール部１１ａを跨ぐ位置に、内召合わせ框３０の長手方向に沿って形成されている。第２中空部３３は、内召合わせ框３０の室内側に張り出す部分の内側に形成されている。
【００３０】
内召合わせ框３０には、室内側壁３１ａと室外側壁３１ｂからパネル体保持溝３１の内側に向かって突出する突片３１ｄが形成されている。突片３１は、受け部材５１がパネル体保持溝３１の奥側に入り込まないように、受け部材５１の移動を規制する。また、室内側壁３１ａと室外側壁３１ｂの先端部には、パネル体５の表面に向かって突出する断面略Ｌ字状の対向突部３０ｅが形成されている。対向突部３０ｅとパネル体５の表面との間を塞ぐように、シール材５０が設けられる。
【００３１】
外障子３を構成する外召合わせ框３５は、断面矩形状の筒材（ホロー材）であり、その一面を開口とした断面凹状（コ字状）のガラス保持溝３６を有している。ガラス保持溝３６は、開口に対向し、見込方向（室内外方向）に延びる面を有する板状の底壁３６ｃと、該底壁３６ｃの室内外側の二辺から立ち上がる室内側側壁３６ａ及び室外側側壁３６ｂとによって、断面凹状に形成されている。そして、パネル体５の縦辺周縁部は、外召合わせ框３５の開口からパネル保持溝３６に納められる。
【００３２】
図３には、図２のうち外召合わせ框３５付近の拡大図を示している。この図に示されているように、外召合わせ框３５においてパネル体５の端部からその表面に沿って中央側に向かう方向を面内方向とし、パネル体５の端部からその表面に沿って離れる方向を面外方向とする。外召合わせ框３５は、パネル体保持溝３６を構成する底壁３６ｃと、底壁３６ｃの室内端部から面外方向に伸びる第２室内側壁３５ｅと、底壁３６ｃの室外端部から面外方向に伸びる第２室外側壁３５ｆと、第２室内側壁３５ｅと第２室外側壁３５ｆとを繋ぐ外周壁３５ｈとで形成されている。第２室内側壁３５ｅは、パネル体保持溝３６を構成する室内側壁３６ａと共に外召合わせ框３５の室内側面を構成し、第２室外側壁３５ｆは、パネル体保持溝３６を構成する室外側壁３６ｂと共に外召合わせ框３５の室外側面を構成する。また、外召合わせ框３５には、底壁３６ｃから外周壁３５ｈまで見付方向に伸びる内部壁３５ｉも形成されている。
【００３３】
外召合わせ框３５には、第２室内側壁３５ｅと内部壁３５ｉ、底壁３６ｃのうち内部壁３５ｉよりも室内側の部分、及び外周壁３５ｈのうち内部壁３５ｉよりも室内側の部分に囲まれた第１中空部３７と、第２室外側壁３５ｆと内部壁３５ｉ、底壁３６ｃのうち内部壁３５ｉよりも室外側の部分、及び外周壁３５ｈのうち内部壁３５ｉよりも室外側の部分に囲まれた第２中空部３８とが形成される。
【００３４】
第１中空部３７は、外障子３を案内する上枠１０の上レール部１０ａ及び下枠１１のレール部１１ａを跨ぐ位置に配置される。第２中空部３８は、第１中空部３７の室外側に配置されることとなる。パネル体保持溝３６を構成する底壁３６ｃは、第２中空部３８によって室外側に直接露出することがないようになっている。また、底壁３６ｃのうち内部壁３５ｉよりも室外側の部分、すなわち底壁３６ｃのうち第２中空部３８を構成する部分は、底壁３６ｃのうち第１中空部３７を構成する室内側の部分よりも若干、厚肉状となるように形成されている。
【００３５】
外召合わせ框３５のパネル体保持溝３６を構成する室内側壁３６ａには、内召合わせ框３０の室内側壁３１ａ及び室外側壁３１ｂと同様に、突片３６ｄと対向突部３６ｇが形成されている。パネル体保持溝３６を構成する室外側壁３６ｂは、底壁３６ｃ側に厚肉部３６ｅを有している。
【００３６】
厚肉部３６ｅは、室外側壁３６ｂのうち底壁３６ｃ側がそれ以外の部分よりも肉厚が大きくなるように形成されて構成されている。厚肉部３６ｅの肉厚は、パネル体保持溝３６の内側、すなわち室内側に向かって突出するように厚くなっている。また、厚肉部３６ｅの先端側端面は平面状となっており、シール材５０を受ける受け部材５１を保持する支持面３６ｆを構成している。支持面３６ｆは、室内側壁３６ａの突片３６ｄと見付方向において同じ位置に配置されている。なお、支持面３６ｆや突片３６ｄは、本実施形態では受け部材５１を保持するものとして形成されているが、シール材５０を保持するものであってもよい。また、シール材５０としては、グレーチングチャンネルを用いることもできる。
【００３７】
框体４は、縦材の側面に対して横材の端部が突き当てられ、連結されることで框組みされる。図４には、横材である上框２０の外召合わせ框３５に突き当てられる端部付近斜視図を示している。上框２０のパネル体保持溝２２を構成する室外側壁２２ｂは、端部付近が切り欠かれており、上框２０の端面２０ａよりも長手方向中央寄りに切欠端面２０ｂを有している。上框２０の端面２０ａは、切欠端面２０ｂ以外は面一状となっている。また、室外側壁２２ｂが切り欠かれたことによって、底壁２２ｃの室外端部には横切欠端面２０ｃが形成される。
【００３８】
図５には、横材である下框２３の外召合わせ框３５に突き当てられる端部付近斜視図を示している。下框２３のパネル体保持溝２５を構成する室外側壁２５ｂは、端部付近が切り欠かれており、下框２３の端面２３ａよりも長手方向中央寄りに切欠端面２３ｂを有している。下框２３の端面２３ａは、切欠端面２３ｂ以外は面一状となっている。また、室外側壁２５ｂが切り欠かれたことによって、底壁２５ｃの室外端部には横切欠端面２３ｃが形成される。
【００３９】
図６には、縦材である外召合わせ框３５の斜視図を示している。外召合わせ框３５の上端部は、第２中空部３８の部分が切り欠かれており、外召合わせ框３５の上端面３５ａよりも長手方向中央寄りに上切欠端面３５ｂを有している。また、パネル体保持溝３６を構成する室外側壁３６ｂも、上端部が切り欠かれて切欠端面３６ｈを有している。
【００４０】
外召合わせ框３５の下端部も、第２中空部３８の部分が切り欠かれており、外召合わせ框３５の下端面３５ｃよりも長手方向中央寄りに下切欠端面３５ｄを有している。また、室外側壁３６ｂの下端部も切り欠かれて切欠端面３６ｈを有している。さらに、パネル体保持溝３６に形成された対向突部３６ｇは、上下の切欠端面３６ｈ，３６ｈよりも長手方向中央寄り位置まで切り欠かれている。
【００４１】
図７には、外召合わせ框３５に対して上框２０及び下框２３を突き当てた状態の斜視図を示している。上框２０の端面２０ａは、外召合わせ框３５の底壁３６ｃに対して突き当てられる。また、上框２０の室外側壁２２ｂのうち端部は、外召合わせ框３５のパネル体保持溝３６内に飲み込まれて、上框２０の室外側壁２２ｂと外召合わせ框３５の室外側壁３６ｂとが重なりあう。このとき、上框２０の切欠端面２０ｂは、外召合わせ框３５の支持面３６ｆと当接することなく対向する。上框２０の室外側壁２２ｂに形成される切欠部は、外召合わせ框３５の厚肉部３６ｅと干渉しないようにするために形成されている。また、上框２０の横切欠端面２０ｃは、外召合わせ框３５の室外側壁３６ｂの上端面に対して当接する。ただし、横切欠端面２０ｃと室外側壁３６ｂの上端面との間には、隙間があってもよい。
【００４２】
下框２３の端面２３ａは、外召合わせ框３５の底壁３６ｃに対して突き当てられる。また、下框２３の室外側壁２５ｂのうち端部は、外召合わせ框３５のパネル体保持溝３６内に飲み込まれて、下框２３の室外側壁２５ｂと外召合わせ框３５の室外側壁３６ｂとが重なり合う。このとき、下框２３の切欠端面２３ｂは、外召合わせ框３５の支持面３６ｆと当接することなく対向する。下框２３の室外側壁２５ｂに形成される切欠部は、外召合わせ框３５の厚肉部３６ｅと干渉しないようにするために形成されている。また、下框２３の横切欠端面２３ｃは、外召合わせ框３５の室外側壁３６ｂの下端面に対して当接する。ただし、横切欠端面２３ｃと室外側壁３６ｂの下端面との間には、隙間があってもよい。
【００４３】
このように、外召合わせ框３５の室外側壁３６ｂに、パネル体保持溝３６の内側に向かって厚肉状となる厚肉部３６ｅを設けたことにより、室外側壁３６ｂの底壁３６ｃ側の肉厚を大きくしている。火災発生時には、加熱側の表面から次第に軟化していくため、室外側壁３６ｂの肉厚が大きいことにより、パネル体５を保持できる強度を長時間確保することができる。すなわち、火災によって外召合わせ框３５が加熱されても、パネル体５の保持状態を維持することができ、隙間の発生を抑えて防火性能を高くすることができる。火災発生時にパネル体保持溝によってパネル体の支持を維持させるための構造として、単純にパネル体保持溝を構成する壁面を室外側に向かって肉厚を大きくすることも考えられるが、網戸が設けられるために、枠体の見込方向寸法もそれに伴って大きくなってしまうこととなる。本実施形態にあっては、厚肉部３６ｅはパネル体保持溝３６の内側に向かって厚肉状となっているので、框体４の見込方向寸法を大きくすることなく、外召合わせ框３５の強度を大きくすることができる。
【００４４】
また、横材である上框２０や下框２３の端部を外召合わせ框３５のパネル体保持溝３６内に納めており、縦材と横材とが面同士で重なり合うので、框体４の強度を大きくすることができると共に、突き当て部分が外部に露出しないので、意匠性も良好にすることができる。
【００４５】
本実施形態においてパネル体５は複層ガラスであり、いずれもガラス板からなる室外側パネル体と室内側パネル体とが二次シール材を介して室内外に対向配置されている。室外側からの加熱を想定して、加熱面となる室外側パネル体を耐熱性の高い網入りガラスとし、非加熱面となる室内側パネル体を、反射膜を有する低放射ガラスとした場合、室外側パネル体は加熱される上に、非加熱面側の低放射ガラスからの反射によって、より高温になりやすい。
【００４６】
このとき、網入りガラスはひび割れはするものの、網を有していることで崩落はしないため、室外側パネル体と室内側パネル体の間の二次シール材が高温により剥離すると、両者の拘束が外れ、室外側パネル体の中央部では面方向に大きく変形するので、框体４に大きな力がかかることになる。なお、加熱面側も低放射ガラスであった場合にあっても、加熱面側の低放射ガラスはひび割れが生じるだけで崩落しないため、同様の問題を生じる。特に、外召合わせ框３５は框体４を構成する框材の中でも最も加熱されやすく、パネル体５の変形によって力を受けた場合に、最も変形しやすい。
【００４７】
これに対し、前述のように厚肉部３６ｅによって室外側壁３６ｂの強度が大きくなっていることにより、室外側壁３６ｂが変形してパネル体５との間に隙間を生じることを確実に防止することができる。このため、本実施形態では外召合わせ框３５の室外側壁３６ｂに厚肉部３６ｅを形成している。ただし、外召合わせ框３５にあっては室内側壁３６ａに、あるいは外召合わせ框３５以外の框材にも厚肉部を形成して、火災発生時におけるパネル体５の保持強度を確保するようにしてもよい。
【００４８】
また、外召合わせ框３５において、第１中空部３７の室外側に第２中空部３８が形成され、パネル体保持溝３６を構成する底壁３６ｃが外部に直接露出しないように構成したことによって、火災発生時に底壁３６ｃが直接加熱されないようにすることができ、底壁３６ｃの軟化を抑えることができるので、パネル体５の保持強度をより確実に確保することができる。また、底壁３６ｃのうち第２中空部３８を構成する部分が、底壁３６ｃのうち第１中空部３７を構成する室内側の部分よりも若干、厚肉状となっているので、室外側から加熱された場合におけるパネル体保持溝３６の変形をさらに抑制することができる。
【００４９】
本実施形態では、厚肉部３６ｅは室外側壁３６ｂの根元部から支持面３６ｆまで同じ肉厚となるように形成されているが、根元部に向かって肉厚が大きくなるようなテーパ状に形成してもよいし、また、根元部付近にＲ形状を持たせるように形成してもよい。また、本実施形態の厚肉部３６ｅは、室外側壁３６ｂの底壁３６ｃ側が、室内側壁３６ａと室外側壁３６ｂのそれ以外の部分よりも肉厚状となっているが、室内側壁３６ａあるいは室外側壁３６ｂの底壁３６ｃ側から先端部までの全体が肉厚状となっていてもよい。
【００５０】
図８には、端部キャップ４０を取付けた外召合わせ框３５と上框２０及び下框２３の連結部分付近斜視図を示している。この図に示すように、外召合わせ框３５の上下端部に形成された切欠部分には、それぞれ樹脂製の端部キャップ４０が取付けられる。端部キャップ４０は、第２中空部３８の上下端部をそれぞれ覆う縦材被覆部４１と、縦材被覆部４１から上框２０または下框２３側に延長された延出部４２とが一体的に形成されている。
【００５１】
図９には、端部キャップ４０の斜視図を示している。この図に示すように、端部キャップ４０は縦材被覆部４１の露出する側の面と反対側に、挿入部４３が形成されている。挿入部４３は外召合わせ框３５の第２中空部３８内に挿入されて係合する。これによって端部キャップ４０が外召合わせ框３５に固定される。
【００５２】
図８に示すように、上端部に設けられる端部キャップ４０の延出部４２は、上框２０と外召合わせ框３５との連結部分、特に上框２０の底壁２２ｃと外召合わせ框３５の室外側壁３６ｂとの突き合わせ部分を被覆し、外召合わせ框３５の室外側壁３６ｂと上框２０の室外側壁２２ｂとの重合部分の上端辺が外部に露出しないようにしている。また、下框２３と外召合わせ框３５との連結部分においても同様に、下框２３の底壁２５ｃと外召合わせ框３５の室外側壁３６ｂとの突き合わせ部分を被覆している。これによって、防水性並びに意匠性を高くすることができる。
【００５３】
ここまで、引き違い窓サッシについて説明したが、本発明はその他の種類の開口部装置にも適用することができる。図１０には第２の実施形態における開口部装置の縦断面図を、図１１には第２の実施形態における開口部装置の横断面図を、それぞれ示している。これら各図に示すように、本実施形態の開口部装置は、横材である上枠７０と下枠７２及び縦材である左右の縦枠７４，７４を方形状に枠組みしてなる枠体６０内にパネル体６１を納めてなる嵌め殺し窓サッシである。
【００５４】
上枠７０の内周面には、室内側壁７１ａと室外側壁７１ｂ及び底壁７１ｃからなる凹状のパネル体保持溝７１が形成され、下枠７２の内周面には、室内側壁７３ａと室外側壁７３ｂ及び底壁７３ｃからなる凹状のパネル体保持溝７３が形成され、縦枠７４の内周面には、室内側壁７５ａと室外側壁７５ｂ及び底壁７５ｃからなる凹状のパネル体保持溝７５が形成されている。パネル体６１の周縁部は、これらのパネル体保持溝に納められて固定されている。
【００５５】
本実施形態では、縦材である左右の縦枠７４，７４の室外側壁７５ｂに、パネル体保持溝７５の内側に向かって肉厚状となった厚肉部７５ｅがそれぞれ形成されていて、これによって室外側壁７５ｂの根元部の肉厚が先端側よりも厚くなるようにされている。
【００５６】
縦枠７４と上枠７０及び下枠７２の連結部分の構成は、第１の実施形態における外召合わせ框３５と上框２０及び下框２３の連結部分と同様であり、上枠７０と下枠７２の端部は、縦枠７４のパネル体保持溝７５に飲み込まれると共に、切欠部によって厚肉部７５ｅと干渉しないようにされる。
【００５７】
このように、嵌め殺し窓サッシにおいても、枠材に厚肉部７５ｅを設けてパネル体保持溝７５の肉厚を大きくすることにより、火災発生時におけるパネル体６１の保持強度を大きくして、防火性能を向上させることができる。
【００５８】
以上、本発明の実施形態について説明したが、本発明の適用は本実施形態には限られず、その技術的思想の範囲内において様々に適用されうるものである。ここでは引き違い窓サッシと嵌め殺し窓サッシについて説明したが、開き窓や框体を有するドアなど、枠体内に障子あるいはパネル体を納めてなる開口部装置であれば、どのような種類であっても本発明を適用することができる。
【符号の説明】
【００５９】
１    枠体
２    内障子
３    外障子
４    框体
５    パネル体
１０    上枠
１０ａ  上レール部
１１    下枠
１１ａ  レール部
１２    縦枠
２０    上框
２０ｂ  切欠端面
２１    案内溝
２２    パネル体保持溝
２３    下框
２３ｂ  切欠端面
２４    戸車
２５    パネル体保持溝
２６    枠側縦框
２７    パネル体保持溝
３０    内召合わせ框
３１    パネル体保持溝
３５    外召合わせ框
３６    パネル体保持溝
３６ａ  室内側壁
３６ｂ  室外側壁
３６ｃ  底壁
３６ｄ  突片
３６ｅ  厚肉部
３６ｆ  支持面
３６ｇ  対向突部
３６ｈ  切欠端面
３７    第１中空部
３８    第２中空部
４０    端部キャップ
５０    シール材
５１    受け部材
【図１】
2014098248.tif 000003
【図２】
2014098248.tif 000004
【図３】
2014098248.tif 000005
【図４】
2014098248.tif 000006
【図５】
2014098248.tif 000007
【図６】
2014098248.tif 000008
【図７】
2014098248.tif 000009
【図８】
2014098248.tif 000010
【図９】
2014098248.tif 000011
【図１０】
2014098248.tif 000012
【図１１】
2014098248.tif 000013